(57)【要約】    【課題】      通信端末装置のＴＦＣポインタを無線基地局装置のＴＦＣポインタに一致させること。    【解決手段】  移動局は、決定したＴＦＣに合わせてＴＦＣポインタを変更すると共に時点ｔ３でＴＦＣＩを送信する。基地局は、ＴＦＣＩをチェックし、ＴＦＣＩで示されるＴＦＣに自局のＴＦＣポインタを合わせるように更新する。基地局は、次に新たなＴＦＣポインタを決定し、新たなＴＦＣポインタと、更新したＴＦＣポインタとを比較することにより、ｕｐ／ｄｏｗｎ／ｋｅｅｐ信号を生成し、これを時点ｔ５に送信する。移動局は、時点ｔ６で受信したｕｐ／ｄｏｗｎ／ｋｅｅｐ信号に基づいて、保持していたＴＦＣポインタを更新する。この結果、移動局が時点ｔ２でｕｐ／ｄｏｗｎ／ｋｅｅｐ信号を誤って受信しても、両局のＴＦＣポインタを一致させることができる。  【選択図】      図７
2005072900.tif 000002
【特許請求の範囲】
【請求項１】
通信端末装置が、無線基地局装置からのｕｐ／ｄｏｗｎ／ｋｅｅｐ信号に基づきＴＦＣ（Transport Format Combination）ポインタを設定し、このＴＦＣポインタ以下の伝送レートを示すＴＦＣに基づき上り送信を行う無線通信方法であって、
通信端末装置から送信されるＴＦＣＩ（Transport Format Combination Indicator）を用いて、通信端末装置と無線基地局装置のＴＦＣポインタを合わせる
ことを特徴とする無線通信方法。
【請求項２】
通信端末装置が、ＴＦＣを決定するＴＦＣ決定ステップと、
通信端末装置が、自局のＴＦＣポインタを前記ＴＦＣ決定ステップで決定したＴＦＣに合わせるステップと、
通信端末装置が、決定したＴＦＣを示すＴＦＣＩを無線基地局装置に送信するＴＦＣＩ送信ステップと、
無線基地局装置が、自局のＴＦＣポインタをＴＦＣＩで示されるＴＦＣに更新するＴＦＣポインタ更新ステップと、
無線基地局装置が、新たなＴＦＣポインタを求め、この新たなＴＦＣポインタと前記更新したＴＦＣポインタとを比較することにより、通信端末装置のＴＦＣポインタを制御するためのｕｐ／ｄｏｗｎ／ｋｅｅｐ信号を形成し送信するステップと
を含むことを特徴とする請求項１に記載の無線通信方法。
【請求項３】
通信端末装置が、ＴＦＣを決定するＴＦＣ決定ステップと、
通信端末装置が、決定したＴＦＣを示すＴＦＣＩに加えて、ＴＦＣを決定する基となった情報を無線基地局装置に送信するＴＦＣＩ送信ステップと、
無線基地局装置が、前記通信端末装置のＴＦＣとその基となった情報とに基づいて、通信端末装置のＴＦＣポインタが自局のＴＦＣポインタからずれているか否かを判断するステップと、
無線基地局装置が、通信端末装置のＴＦＣポインタがずれていると判断した場合、自局のＴＦＣポインタ情報を通信端末装置に送信するステップと
を含むことを特徴とする請求項１に記載の無線通信方法。
【請求項４】
通信端末装置が、ＴＦＣを決定するＴＦＣ決定ステップと、
通信端末装置が、決定したＴＦＣを示すＴＦＣＩに加えて、自局のＴＦＣポインタと前記決定ステップで決定したＴＦＣとが一致するか否かを示すフラグ信号を無線基地局装置に送信するステップと、
無線基地局装置が、前記ＴＦＣＩとフラグ信号とに基づき、通信端末装置のＴＦＣポインタが自局のＴＦＣポインタからずれているか否かを判断するステップと、
無線基地局装置が、通信端末装置のＴＦＣポインタがずれていると判断した場合、自局のＴＦＣポインタ情報を通信端末装置に送信するステップと
を含むことを特徴とする請求項１に記載の無線通信方法。
【請求項５】
前記無線基地局装置は、前記通信端末装置からのＴＦＣＩを受信してから前記通信端末装置のＴＦＣポインタを制御するための信号を送信するまでの期間は、前記通信端末装置に対してｋｅｅｐ信号を送信する
ことを特徴とする請求項２から請求項４のいずれかに記載の無線通信方法。
【請求項６】
通信端末装置が、無線基地局装置からのｕｐ／ｄｏｗｎ／ｋｅｅｐ信号に基づいてＴＦＣポインタを変更し、このＴＦＣポインタ以下の伝送レートを示すＴＦＣを選択し、選択したＴＦＣに基づき上り送信を行うようになされた無線通信システムであって、
前記通信端末装置は、前記選択したＴＦＣを示すＴＦＣＩを前記無線基地局装置に送信し、
前記無線基地局装置は、前記ＴＦＣＩで示されるＴＦＣを参照して前記ｕｐ／ｄｏｗｎ／ｋｅｅｐ信号やＴＦＣポインタ情報信号等のＴＦＣポインタを変更するための信号を形成し、このＴＦＣポインタを変更するための信号を通信端末装置に送信する
ことを特徴とする無線通信システム。
【請求項７】
通信端末装置から送信されたＴＦＣＩ（Transport Format Combination Indicator）を抽出するＴＦＣＩ抽出手段と、
抽出されたＴＦＣＩを参照して通信端末装置のＴＦＣ（Transport Format Combination）ポインタを変更するためのｕｐ／ｄｏｗｎ／ｋｅｅｐ信号を形成するｕｐ／ｄｏｗｎ／ｋｅｅｐ信号形成手段と、
前記ｕｐ／ｄｏｗｎ／ｋｅｅｐ信号を無線送信する送信手段と
を具備することを特徴とする無線基地局装置。
【請求項８】
自局のＴＦＣポインタが前記ＴＦＣＩで示されるＴＦＣと異なるか否かをチェックし、自局のＴＦＣポインタが前記ＴＦＣＩで示されるＴＦＣと異なる場合には、自局のＴＦＣポインタをＴＦＣＩで示されるＴＦＣに更新するＴＦＣＩチェック手段と、
この更新したＴＦＣポインタと新たなＴＦＣポインタを比較することにより、前記ｕｐ／ｄｏｗｎ／ｋｅｅｐ信号を形成するための制御信号を生成するＴＦＣポインタ決定手段と
を、さらに具備することを特徴とする請求項７に記載の無線基地局装置。
【請求項９】
通信端末装置から送信された、パワーマージン情報及び又はバッファサイズ情報を抽出するパワーマージン／バッファ情報抽出手段と、
前記ＴＦＣＩで示されるＴＦＣと、その基となった前記パワーマージン情報及び又はバッファサイズ情報とに基づいて、通信端末装置のＴＦＣポインタが自局のＴＦＣポインタからずれているか否かを判断するＴＦＣＩチェック手段と、
自局のＴＦＣポインタが前記ＴＦＣＩで示されるＴＦＣと異なる場合には、自局のＴＦＣポインタ情報を通信端末装置に送信するＴＦＣポインタ送信手段と
を、さらに具備することを特徴とする請求項７に記載の無線基地局装置。
【請求項１０】
通信端末装置から送信された、通信端末装置のＴＦＣポインタと通信端末装置で決定したＴＦＣとが一致するか否かを示すフラグ信号を抽出するポインタフラグ抽出手段と、
前記ＴＦＣＩとフラグ信号とに基づき、通信端末装置のＴＦＣポインタが自局のＴＦＣポインタからずれているか否かを判断するＴＦＣＩチェック手段と、
通信端末装置のＴＦＣポインタがずれていると判断した場合、自局のＴＦＣポインタ情報を通信端末装置に送信するＴＦＣポインタ送信手段と
を、さらに具備することを特徴とする請求項７に記載の無線基地局装置。
【請求項１１】
ＴＦＣポインタ以下の伝送レートを示すＴＦＣを決定するＴＦＣ決定手段と、
ＴＦＣポインタを無線基地局装置からのｕｐ／ｄｏｗｎ／ｋｅｅｐ信号に基づいて更新するのに加えて、前記ＴＦＣ決定手段で決定したＴＦＣに合わせて更新するＴＦＣポインタ制御手段と、
前記ＴＦＣ決定手段で決定したＴＦＣを示すＴＦＣＩを無線基地局装置に送信するＴＦＣＩ送信手段と
を具備することを特徴とする通信端末装置。
【請求項１２】
ＴＦＣポインタ以下の伝送レートを示すＴＦＣを決定するＴＦＣ決定手段と、
前記ＴＦＣ決定手段で決定したＴＦＣと自局のＴＦＣポインタが一致するか否かを判断するＴＦＣ比較手段と、
決定したＴＦＣと自局のＴＦＣポインタが一致しなかった場合、前記ＴＦＣ決定手段で決定したＴＦＣを示すＴＦＣＩに加えて、ＴＦＣを決定する基となった情報を無線基地局装置に送信する送信手段と
を具備することを特徴とする通信端末装置。
【請求項１３】
ＴＦＣポインタ以下の伝送レートを示すＴＦＣを決定するＴＦＣ決定手段と、
前記ＴＦＣ決定手段で決定したＴＦＣと自局のＴＦＣポインタが一致するか否かを判断するＴＦＣ比較手段と、
前記ＴＦＣ決定手段で決定したＴＦＣを示すＴＦＣＩに加えて、決定したＴＦＣと自局のＴＦＣポインタが一致したか否かを示すポインタフラグ信号を無線基地局装置に送信する送信手段と
を具備することを特徴とする通信端末装置。
【発明の詳細な説明】
【技術分野】
【０００１】
本発明は、特にＴＦＣ（Transport Format Combination）ポインタを用いて通信端末装置で送信可能な伝送レートを決定する無線通信方法、無線通信システム、無線基地局装置及び通信端末装置に関する。
【背景技術】
【０００２】
近年、通信端末装置（以下これを場合によって移動局と呼ぶ）から無線基地局装置（以下これを場合によって基地局と呼ぶ）への上り高速パケット送信を実現するための種々の技術が提案されている。この上り高速パケット送信において、送信データのスループットを向上させるために重要なのがパケットデータの伝送レート制御である。
【０００３】
現在、この伝送レート制御は、物理チャネルのシンボルレート、符号化率、レートマッチング、およびＤＴＸ（Discontinuous Transmission）などのパラメータを制御することによって行われる。伝送レートの切り替えは、通信の開始時や通信の途中で行うことが可能であり、上記の各パラメータによって定まる伝送レートごとに複数のチャネルの組み合わせを定義し、それぞれの組み合わせに番号を付与し、通信中にその番号を切り替えることで実現している。このような複数のパラメータの組み合わせはＴＦＣ（Transport Format Combination）と呼ばれる。
【０００４】
このＴＦＣについて簡単に説明する。無線通信システムでは、通信端末装置の総送信電力が最大送信電力を超えてしまう場合、いずれかのチャネルの送信を停止する、もしくは、伝送レートを下げる等の制御を行い、総送信電力が最大送信電力を超えないようにすることが必要となる。Ｗ-ＣＤＭＡの３ＧＰＰのRelease99仕様では、これを実現する方法としてＴＦＣ Selectionが標準化されている。
【０００５】
ＴＦＣ Selectionでは、通信端末装置が、複数の個別チャネルＤＣＨ（Dedicated Channel)でデータを多重して伝送する場合に、各ＤＣＨで送信するデータ量等を示すトランスポートフォーマット（Transport Format)の組合せであるＴＦＣ毎に総送信電力が最大送信電力を超えないか否かを判定し、送信可能なＴＦＣを選択する。なお、以下の説明において、全てのＴＦＣの集合をＴＦＣＳ（Transport Format Combination Set）という。
【０００６】
以下、ＴＦＣ Selectionについて図２５を用いて具体的に説明する。図２５では、ＤＣＨが２つで、ＤＣＨ＃１には３つのトランスポートフォーマットＴＦがあり、ＤＣＨ＃２には２つのトランスポートフォーマットＴＦがある場合を示す（図２５（Ａ））。この場合、図２５（Ｂ）に示すように、ＴＦＣ１〜ＴＦＣ６の６通りのＴＦＣが存在することになる。なお、図２５（Ａ）、（Ｂ）では、各トランスポートフォーマットＴＦのビット数（伝送レート）を横軸の長さで表している。
【０００７】
ここで、単位時間に送信しなければならないビット数が増えるほど伝送レートを速くする必要があり、所定の品質を得るためには伝送レートが速いほど送信電力を高くしなければならない。図２５（Ｃ）はＴＦＣ毎の送信電力を示し、送信電力はビット数と比例関係にあるとしている。なお、図２５（Ｃ）において、点線は通信端末装置の最大送信電力（すなわちパワーマージン）Ｐmaxを示している。
【０００８】
図２５（Ｃ）の場合、通信端末装置は、ＴＦＣＳにおけるＴＦＣ１〜ＴＦＣ３において総送信電力が最大送信電力Ｐmaxを下回るので送信可能と判定し、ＴＦＣＳにおけるＴＦＣ４〜ＴＦＣ６において総送信電力が最大送信電力Ｐmaxを上回り送信電力が足りないため送信不可能と判定する。そして、通信端末装置は、送信可能と判定したＴＦＣ１〜ＴＦＣ３の中から１つのＴＦＣを選択する。
【０００９】
通信端末装置が以上の動作を定期的に行うこと、すなわち、ＴＦＣＳにおけるＴＦＣ毎に最大送信電力を超えるかどうかを判定することにより、通信端末装置の最大送信電力を超えないで通信を行うことができる。
【００１０】
さらに、無線基地局装置と通信端末装置で共通のＴＦＣポインタを設定し、通信端末装置がＴＦＣポインタ以下の最大伝送レートで送信を行うようになされた無線通信システムが、非特許文献１に記載されている。この無線通信システムについて簡単に説明する。図２５（Ｃ）のＴＦＣＳを送信電力（伝送レート）が大きい順に並べると、図２６に示すようになる。先ず、無線基地局装置又はＲＮＣ（Radio Network Controller）が図２６に示すようなＴＦＣＳの情報を設定し、このＴＦＣＳ情報を無線基地局装置を介して通信端末装置に送信する。また無線基地局装置は、自局の受信リソース等に基づいて、通信端末装置が送信可能な最大の伝送レートを示すＴＦＣポインタ（すなわち最大の伝送レートに相当するＴＦＣ番号）を設定し、このＴＦＣポインタを通信端末装置に通知する。通信端末装置は、通知されたＴＦＣポインタが示す伝送レート以下のＴＦＣのうち、自局のパワーマージンやバッファ情報に基づいて送信可能な最大の伝送レートを示すＴＦＣを決定する。そして通信端末装置は、決定したＴＦＣに応じた拡散率、変調方式、符号化率あるいはデータサイズ等により上り信号を送信する。
【００１１】
また無線基地局装置は、ＴＦＣポインタを変更する場合には、自局のＴＦＣポインタを変更することに加えて、通信端末装置にｕｐ／ｄｏｗｎ／ｋｅｅｐ信号を送信することで、通信端末装置のＴＦＣポインタを自局のＴＦＣポインタに合わせて変更させる。
【００１２】
ところで、通常ｕｐ／ｄｏｗｎ／ｋｅｅｐ信号は誤り訂正符号化が施されずに送信されるので、通信端末装置で受信エラーが発生すると、通信端末装置のＴＦＣポインタが無線基地局装置のＴＦＣポインタとずれてしまうことになる。この結果、通信端末装置は、許可されていない大きい伝送レートで送信を行ったり（通信端末装置のＴＦＣポインタが基地局ＴＦＣポインタよりも大きい方にずれた場合）、もっと大きな伝送レートで送信できるにも拘わらず小さな伝送レートで送信を行う（通信端末装置のＴＦＣポインタが基地局ＴＦＣポインタよりも小さい方にずれた場合）ことになる。これは、上り信号の品質劣化や通信容量の低下につながる。
【００１３】
この無線基地局装置のＴＦＣポインタと通信端末装置のＴＦＣポインタのずれを補正する方法として従来、非特許文献２に記載されているものがある。非特許文献２によれば、例えばｕｐ／ｄｏｗｎ／ｋｅｅｐ信号とは別に、無線基地局装置から通信端末装置に所定の間隔でＴＦＣポインタを示す実際のＴＦＣ番号を送る方法が提案されている。
【非特許文献１】３ＧＰＰ  ＴＲ  ２５．８９６  Ｖ０．３．１（Ｒｌ−０３０６３３）
【非特許文献２】ＴＳＧ−ＲＡＮ  Ｗｏｒｋｉｎｇ  Ｇｒｏｕｐ  １  ｍｅｅｔｉｎｇ  ＃３２（Ｒｌ−０３０５４７）
【発明の開示】
【発明が解決しようとする課題】
【００１４】
しかしながら、上記非特許文献２に記載された方法を用いた場合、通信端末装置のＴＦＣポインタを無線基地局装置のＴＦＣポインタに常時合わせようとすると、ＴＦＣ番号を送信する間隔を短くする必要があるため、その分だけ通信情報量が増加する問題がある。またＴＦＣ番号を送信する間隔を長くすると、ＴＦＣポインタがずれている時間が長くなるおそれがある。
【００１５】
本発明はかかる点に鑑みてなされたものであり、通信端末装置でｕｐ／ｄｏｗｎ／ｋｅｅｐ信号が誤って受信された場合でも、既存の情報を有効に利用して通信端末装置のＴＦＣポインタを無線基地局装置のＴＦＣポインタに一致させることができる無線通信方法、無線通信システム、無線基地局装置及び通信端末装置を提供することを目的とする。
【課題を解決するための手段】
【００１６】
かかる課題を解決するため本発明の無線通信方法は、通信端末装置が、無線基地局装置からのｕｐ／ｄｏｗｎ／ｋｅｅｐ信号に基づきＴＦＣ（Transport Format Combination）ポインタを設定し、このＴＦＣポインタ以下の伝送レートを示すＴＦＣに基づき上り送信を行う無線通信方法であって、通信端末装置から送信されるＴＦＣＩ（Transport Format Combination Indicator）を用いて、通信端末装置と無線基地局装置のＴＦＣポインタを合わせるようにする。
【００１７】
この方法によれば、ＴＦＣＩは通信端末装置から無線基地局装置に送信されるので、通信端末装置と無線基地局装置の両局は共にＴＦＣＩで示されるＴＦＣを認識している。そしてその両局で認識しているＴＦＣを基準に両局のＴＦＣポインタを合わせるようにしたので、通信端末装置でｕｐ／ｄｏｗｎ／ｋｅｅｐ信号が誤って受信され、通信端末装置のＴＦＣポインタと無線基地局装置のＴＦＣポインタとがずれたとしても、両局のＴＦＣポインタを確実に合わせることができるようになる。また既存のＴＦＣＩを用いるようにしたので、通信情報量を増加させずにＴＦＣポインタを合わせることができる。さらにＴＦＣＩは、一般に誤り訂正符号化が施されて伝送されるので、ｕｐ／ｄｏｗｎ／ｋｅｅｐ信号に受信エラーが生じるような電波伝搬環境下でも、誤りなく受信される可能性が高いので、高い信頼性でＴＦＣポインタを合わせることができるようになる。
【００１８】
本発明の無線通信方法は、通信端末装置がＴＦＣを決定するＴＦＣ決定ステップ（ＳＴ２２）と、通信端末装置が自局のＴＦＣポインタをＴＦＣ決定ステップ（ＳＴ２２）で決定したＴＦＣに合わせるステップ（ＳＴ２５）と、通信端末装置が決定したＴＦＣを示すＴＦＣＩを無線基地局装置に送信するＴＦＣＩ送信ステップ（ＳＴ２４）と、無線基地局装置が自局のＴＦＣポインタをＴＦＣＩで示されるＴＦＣに更新するＴＦＣポインタ更新ステップ（ＳＴ１４）と、無線基地局装置が新たなＴＦＣポインタを求め、この新たなＴＦＣポインタと前記更新したＴＦＣポインタとを比較することにより、通信端末装置のＴＦＣポインタを制御するためのｕｐ／ｄｏｗｎ／ｋｅｅｐ信号を形成し送信するステップ（ＳＴ１２、ＳＴ１５、ＳＴ１３）とを含むようにする。
【００１９】
この方法によれば、通信端末装置でｕｐ／ｄｏｗｎ／ｋｅｅｐ信号が誤って受信され、通信端末装置のＴＦＣポインタと無線基地局装置のＴＦＣポインタとがずれたとしても、通信端末装置のＴＦＣポインタと無線基地局装置のＴＦＣポインタをＴＦＣＩで示されるＴＦＣに合わせるようにしている（ＳＴ２５、ＳＴ１４）ので、両局のＴＦＣポインタを一致させることができる。またｕｐ／ｄｏｗｎ／ｋｅｅｐ信号も、一致させたＴＦＣポインタを基準にして形成するようにしているので、両局のＴＦＣポインタがずれることはない。たとえこのｕｐ／ｄｏｗｎ／ｋｅｅｐ信号が誤って受信されたとしても、同様の処理を繰り返すことにより、ＴＦＣポインタのずれは補正される。
【００２０】
本発明の無線通信方法は、通信端末装置がＴＦＣを決定するＴＦＣ決定ステップ（ＳＴ４２）と、通信端末装置が決定したＴＦＣを示すＴＦＣＩに加えて、ＴＦＣを決定する基となった情報を無線基地局装置に送信するＴＦＣＩ送信ステップ（ＳＴ４４、ＳＴ４５）と、無線基地局装置が通信端末装置のＴＦＣとその基となった情報とに基づいて、通信端末装置のＴＦＣポインタが自局のＴＦＣポインタからずれているか否かを判断するステップ（ＳＴ３４）と、無線基地局装置が通信端末装置のＴＦＣポインタがずれていると判断した場合、自局のＴＦＣポインタ情報を通信端末装置に送信するステップ（ＳＴ３６）とを含むようにする。
【００２１】
この方法によれば、通信端末装置がＴＦＣＩに加えて、ＴＦＣを決定する基となった情報を無線基地局装置に送信するので、無線基地局装置は通信端末装置のＴＦＣポインタが自局のＴＦＣポインタからずれているか否かを判断できる。そして無線基地局装置は、ＴＦＣポインタがずれていると判断した場合のみ、ＴＦＣポインタ情報を送信するので、実際上必要なときだけＴＦＣポインタ情報を送信できるようになる。この結果、通信端末装置でｕｐ／ｄｏｗｎ／ｋｅｅｐ信号が誤って受信され、通信端末装置のＴＦＣポインタと無線基地局装置のＴＦＣポインタとがずれたとしても、必要最小限の情報追加で両局のＴＦＣポインタを一致させることができる。
【００２２】
本発明の無線通信方法は、通信端末装置がＴＦＣを決定するＴＦＣ決定ステップ（ＳＴ６２）と、通信端末装置が決定したＴＦＣを示すＴＦＣＩに加えて、自局のＴＦＣポインタと決定ステップ（ＳＴ６２）で決定したＴＦＣが一致するか否かを示すフラグ信号を無線基地局装置に送信するステップ（ＳＴ６６）と、無線基地局装置が前記ＴＦＣＩとフラグ信号とに基づき、通信端末装置のＴＦＣポインタが自局のＴＦＣポインタからずれているか否かを判断するステップ（ＳＴ５１）と、無線基地局装置が通信端末装置のＴＦＣポインタがずれていると判断した場合、自局のＴＦＣポインタ情報を通信端末装置に送信するステップ（ＳＴ５５）とを含むようにする。
【００２３】
この方法によれば、通信端末装置がＴＦＣＩに加えて、自局のＴＦＣポインタと決定ステップ（ＳＴ６２）で決定したＴＦＣが一致するか否かを示すフラグ信号を無線基地局装置に送信するので、無線基地局装置は通信端末装置のＴＦＣポインタが自局のＴＦＣポインタからずれているか否かを判断できる。そして無線基地局装置は、ＴＦＣポインタがずれていると判断した場合のみ、ＴＦＣポインタ情報を送信するので、実際上必要なときだけＴＦＣポインタ情報を送信できるようになる。この結果、通信端末装置でｕｐ／ｄｏｗｎ／ｋｅｅｐ信号が誤って受信され、通信端末装置のＴＦＣポインタと無線基地局装置のＴＦＣポインタとがずれたとしても、必要最小限の情報追加で両局のＴＦＣポインタを一致させることができる。
【００２４】
本発明の無線通信方法は、無線基地局装置は、通信端末装置からのＴＦＣＩを受信してから通信端末装置のＴＦＣポインタを制御するための信号を送信するまでの期間は、通信端末装置に対してｋｅｅｐ信号を送信するようにする。
【００２５】
この方法によれば、通信端末装置は、ＴＦＣＩを送信してからＴＦＣポインタを制御するための信号を受信するまでの間は、ｋｅｅｐ信号によりＴＦＣポインタの位置が維持されるので、無線基地局装置でＴＦＣポインタを制御するための信号を形成する間に、通信端末装置のＴＦＣポインタがずれることを防止でき、ＴＦＣポインタを制御するための信号により通信端末装置のＴＦＣポインタを無線基地局装置のＴＦＣポインタに確実に一致させることができるようになる。
【００２６】
本発明の無線通信システムは、通信端末装置が、無線基地局装置からのｕｐ／ｄｏｗｎ／ｋｅｅｐ信号に基づいてＴＦＣポインタを変更し、このＴＦＣポインタ以下の伝送レートを示すＴＦＣを選択し、選択したＴＦＣに基づき上り送信を行うようになされた無線通信システムであって、前記通信端末装置は、前記選択したＴＦＣを示すＴＦＣＩを前記無線基地局装置に送信し、前記無線基地局装置は、前記ＴＦＣＩで示されるＴＦＣを参照して前記ｕｐ／ｄｏｗｎ／ｋｅｅｐ信号やＴＦＣポインタ情報信号等のＴＦＣポインタを変更するための信号を形成し、このＴＦＣポインタを変更するための信号を通信端末装置に送信する構成を採る。
【００２７】
本発明の無線基地局装置は、通信端末装置から送信されたＴＦＣＩ（Transport Format Combination Indicator）を抽出するＴＦＣＩ抽出手段と、抽出されたＴＦＣＩを参照して通信端末装置のＴＦＣ（Transport Format Combination）ポインタを変更するためのｕｐ／ｄｏｗｎ／ｋｅｅｐ信号を形成するｕｐ／ｄｏｗｎ／ｋｅｅｐ信号形成手段と、前記ｕｐ／ｄｏｗｎ／ｋｅｅｐ信号を無線送信する送信手段とを具備する構成を採る。
【００２８】
これらの構成によれば、無線基地局装置がＴＦＣＩで示されるＴＦＣを参照してｕｐ／ｄｏｗｎ／ｋｅｅｐ信号を形成して通信端末装置に送信するので、通信端末装置でｕｐ／ｄｏｗｎ／ｋｅｅｐ信号が誤って受信され、通信端末装置のＴＦＣポインタと無線基地局装置のＴＦＣポインタとがずれたとしても、両局のＴＦＣポインタを合わせることができるようになる。また既存のＴＦＣＩを用いるようにしたので、通信情報量を増加させずにＴＦＣポインタを合わせることができる。さらにＴＦＣＩは、一般に誤り訂正符号化が施されて伝送されるので、ｕｐ／ｄｏｗｎ／ｋｅｅｐ信号に受信エラーが生じるような電波伝搬環境下でも、誤りなく受信される可能性が高いので、高い信頼性でＴＦＣポインタを合わせることができるようになる。
【００２９】
本発明の無線基地局装置は、自局のＴＦＣポインタが前記ＴＦＣＩで示されるＴＦＣと異なるか否かをチェックし、自局のＴＦＣポインタが前記ＴＦＣＩで示されるＴＦＣと異なる場合には、自局のＴＦＣポインタをＴＦＣＩで示されるＴＦＣに更新するＴＦＣＩチェック手段と、この更新したＴＦＣポインタと新たなＴＦＣポインタを比較することにより、前記ｕｐ／ｄｏｗｎ／ｋｅｅｐ信号を形成するための制御信号を生成するＴＦＣポインタ決定手段とを、さらに具備する構成を採る。
【００３０】
本発明の無線基地局装置は、通信端末装置から送信された、パワーマージン情報及び又はバッファサイズ情報を抽出するパワーマージン／バッファ情報抽出手段と、前記ＴＦＣＩで示されるＴＦＣと、その基となった前記パワーマージン情報及び又はバッファサイズ情報とに基づいて、通信端末装置のＴＦＣポインタが自局のＴＦＣポインタからずれているか否かを判断するＴＦＣＩチェック手段と、自局のＴＦＣポインタが前記ＴＦＣＩで示されるＴＦＣと異なる場合には、自局のＴＦＣポインタ情報を通信端末装置に送信するＴＦＣポインタ送信手段とを、さらに具備する構成を採る。
【００３１】
本発明の無線基地局装置は、通信端末装置から送信された、通信端末装置のＴＦＣポインタと通信端末装置で決定したＴＦＣとが一致するか否かを示すフラグ信号を抽出するポインタフラグ抽出手段と、前記ＴＦＣＩとフラグ信号とに基づき、通信端末装置のＴＦＣポインタが自局のＴＦＣポインタからずれているか否かを判断するＴＦＣＩチェック手段と、通信端末装置のＴＦＣポインタがずれていると判断した場合、自局のＴＦＣポインタ情報を通信端末装置に送信するＴＦＣポインタ送信手段とを、さらに具備する構成を採る。
【００３２】
本発明の通信端末装置は、ＴＦＣポインタ以下の伝送レートを示すＴＦＣを決定するＴＦＣ決定手段と、ＴＦＣポインタを無線基地局装置からのｕｐ／ｄｏｗｎ／ｋｅｅｐ信号に基づいて更新するのに加えて、前記ＴＦＣ決定手段で決定したＴＦＣに合わせて更新するＴＦＣポインタ制御手段と、前記ＴＦＣ決定手段で決定したＴＦＣを示すＴＦＣＩを無線基地局装置に送信するＴＦＣＩ送信手段とを具備する構成を採る。
【００３３】
本発明の通信端末装置は、ＴＦＣポインタ以下の伝送レートを示すＴＦＣを決定するＴＦＣ決定手段と、前記ＴＦＣ決定手段で決定したＴＦＣと自局のＴＦＣポインタが一致するか否かを判断するＴＦＣ比較手段と、決定したＴＦＣと自局のＴＦＣポインタが一致しなかった場合、前記ＴＦＣ決定手段で決定したＴＦＣを示すＴＦＣＩに加えて、ＴＦＣを決定する基となった情報を無線基地局装置に送信する送信手段とを具備する構成を採る。
【００３４】
本発明の通信端末装置は、ＴＦＣポインタ以下の伝送レートを示すＴＦＣを決定するＴＦＣ決定手段と、前記ＴＦＣ決定手段で決定したＴＦＣと自局のＴＦＣポインタが一致するか否かを判断するＴＦＣ比較手段と、前記ＴＦＣ決定手段で決定したＴＦＣを示すＴＦＣＩに加えて、決定したＴＦＣと自局のＴＦＣポインタが一致したか否かを示すポインタフラグ信号を無線基地局装置に送信する送信手段とを具備する構成を採る。
【発明の効果】
【００３５】
このように本発明によれば、通信端末装置から送信されるＴＦＣＩを用いて、通信端末装置と無線基地局装置のＴＦＣポインタを合わせるようにしたことにより、通信端末装置でｕｐ／ｄｏｗｎ／ｋｅｅｐ信号が誤って受信された場合でも、既存の情報を有効に利用して通信端末装置のＴＦＣポインタを無線基地局装置のＴＦＣポインタに一致させることができる。
【発明を実施するための最良の形態】
【００３６】
本発明の骨子は、通信端末装置から送信されるＴＦＣＩを有効に活用して、通信端末装置と無線基地局装置のＴＦＣポインタを合わせることである。
【００３７】
以下、本発明の実施の形態について図面を参照して詳細に説明する。
【００３８】
（実施の形態１）
図１に本発明の実施の形態１に係る無線基地局装置の構成を示す。無線基地局装置１００は、チャネルコーディング部１０１に、各通信端末宛の送信データと、ｕｐ／ｄｏｗｎ／ｋｅｅｐシグナリング生成部１０２により生成された各通信端末宛のｕｐ／ｄｏｗｎ／ｋｅｅｐ信号Ｓ１を入力する。チャネルコーディング部１０１は、送信データに誤り訂正符号化処理やインターリーブ処理を施し、処理後のデータを変調部１０３に送出する。因みに、ｕｐ／ｄｏｗｎ／ｋｅｅｐ信号については、符号化せずにそのまま出力する。
【００３９】
変調部１０３は、チャネルコーディングデータをＱＰＳＫ(Quadrature Phase Shift Keying)や１６ＱＡＭ(Quadrature Amplitude Modulation)等の変調方式により変調し、変調シンボルを拡散部１０４に送出する。拡散部１０４は各通信端末に割り当てた拡散コードを用いて各通信端末宛の信号を拡散処理し、処理後の信号を送信無線部１０５に送出する。送信無線部１０５は、ディジタルアナログ変換処理やアップコンバート等の所定の無線処理を行い、無線処理後の信号をアンテナ１０６に供給する。
【００４０】
受信無線部１０７は、アンテナ１０６により受信した信号に対して、ダウンコンバートやアナログディジタル変換処理等の所定の無線処理を施し、無線処理後の信号を逆拡散部１０８に送出する。逆拡散部１０８は、各通信端末に割り当てた拡散コードを用いて逆拡散処理を行うことにより、各通信端末からの信号を得る。各通信端末からの信号は復調部１０９により復調された後、チャネルデコーディング部１１０に送出される。チャネルデコーディング部１１０は、復調信号に対してデインターリーブ処理や誤り訂正復号処理を施すことにより、各通信端末からの受信データを得る。
【００４１】
加えて、チャネルデコーディング部１１０の出力はＴＦＣＩ（Transport Format Combination Indicator）抽出部１１１に送出される。またチャネルデコーディング部１１０の出力は、パワーマージン／バッファ情報抽出部１１２に送出される。ＴＦＣＩ抽出部１１１は、受信信号の所定位置に埋め込まれているＴＦＣＩ情報Ｓ２を抽出する。パワーマージン／バッファ情報抽出部１１２は、受信信号の所定位置に埋め込まれているパワーマージン情報及びバッファ情報（以下これをパワーマージン／バッファ情報と呼ぶ）Ｓ３を抽出する。
【００４２】
ＴＦＣＩ抽出部１１１は、各通信端末から送られてきたＴＦＣＩ情報に基づいて、各通信端末により送信された、あるいはこれから送られるデータがどのように送信されてくるかを逆拡散部１０８、復調部１０９、チャネルデコーディング部１１０に通知する。すなわち、ＴＦＣＩ情報に基づき、拡散率、変調方式、符号化率あるいはデータサイズなどをそれぞれ必要な回路に通知する。またＴＦＣＩ抽出部１１１は、抽出したＴＦＣＩ情報Ｓ２をＴＦＣポインタ制御部１１３に送出する。
【００４３】
ＴＦＣポインタ制御部１１３は、ＴＦＣＩ抽出部１１１からのＴＦＣＩ情報Ｓ２とパワーマージン／バッファ情報抽出部１１２からのパワーマージン／バッファ情報Ｓ３とを用いて、通信端末装置のＴＦＣポインタを上下させるためのＴＦＣポインタ制御信号Ｓ４を形成し、これをｕｐ／ｄｏｗｎ／ｋｅｅｐシグナリング生成部１０２に送出する。ｕｐ／ｄｏｗｎ／ｋｅｅｐシグナリング生成部１０２は、ＴＦＣポインタ制御信号Ｓ４に基づいて、ＴＦＣポインタを上げる、下げる又は維持することを指示するｕｐ／ｄｏｗｎ／ｋｅｅｐ信号Ｓ１を生成する。
【００４４】
図２に、本実施の形態のＴＦＣポインタ制御部１１３の構成を示す。ＴＦＣポインタ制御部１１３は、ＴＦＣＩチェック部１２０にＴＦＣＩ抽出部１１１により抽出されたＴＦＣＩ情報Ｓ２を入力する。ＴＦＣＩチェック部１２０は、ＴＦＣＩ情報Ｓ２と、ＴＦＣポインタ記憶部１２１に記憶されているＴＦＣポインタとを比較することにより、記憶されているＴＦＣポインタがＴＦＣＩで示されるＴＦＣと異なるか否かをチェックする。ＴＦＣＩチェック部１２０は、記憶されているＴＦＣポインタがＴＦＣＩで示されるＴＦＣと異なる場合には、記憶されているＴＦＣポインタをＴＦＣＩで示されるＴＦＣに更新し、同じ場合には、更新しない。
【００４５】
ＴＦＣポインタ決定部１２２は、パワーマージン／バッファ情報抽出部１１２からのパワーマージン／バッファ情報Ｓ３と自局での受信における空きリソースを考慮してＴＦＣポインタを決定する。またＴＦＣポインタ決定部１２２は、新たに決定したＴＦＣポインタと、ＴＦＣポインタ記憶部１２１に記憶されているＴＦＣポインタとを比較することにより、ＴＦＣポインタ制御信号Ｓ４を形成し、これをｕｐ／ｄｏｗｎ／ｋｅｅｐシグナリング生成部１０２に送出する。またＴＦＣポインタ決定部１２２は、ＴＦＣポインタを更新した場合には、新たなＴＦＣポインタをＴＦＣポインタ記憶部１２１に記憶させる。
【００４６】
このように本実施の形態の無線基地局装置１００においては、自局のＴＦＣポインタがＴＦＣＩで示されるＴＦＣと異なるか否かをチェックし、自局のＴＦＣポインタがＴＦＣＩで示されるＴＦＣと異なる場合には、自局のＴＦＣポインタをＴＦＣＩで示されるＴＦＣに更新するＴＦＣＩチェック部１２０と、この更新したＴＦＣポインタと新たなＴＦＣポインタを比較することにより、ｕｐ／ｄｏｗｎ／ｋｅｅｐ信号を形成するための制御信号を生成するＴＦＣポインタ決定部１２２とを設けたことにより、ｕｐ／ｄｏｗｎ／ｋｅｅｐ信号の伝送エラーにより通信端末装置と無線基地局装置のＴＦＣポインタにずれが生じた場合でも、無線基地局装置のＴＦＣポインタと通信端末装置のＴＦＣポインタを一致させることができるようになる。
【００４７】
図３に、図１の無線基地局装置１００と通信を行う通信端末装置の構成を示す。通信端末装置２００は、アンテナ２０１からの受信信号を受信無線部２０２に入力する。受信無線部２０２は受信信号に対してダウンコンバートやアナログディジタル変換処理等の所定の無線処理を施す。無線処理後の信号は、逆拡散部２０３で逆拡散され、復調部２０４で復調され、チャネルデコーディング部２０５でチャネルデコーディング処理され、これによりチャネルデコーディング部２０５から受信データが得られる。
【００４８】
また通信端末装置２００は、送信データをバッファ２０６を介してチャネルコーディング部２０７に入力し、チャネルコーディング部２０７により誤り訂正符号化処理やインターリーブ処理を施す。チャネルコーディング部２０７の出力は、変調部２０８により変調され、拡散部２０９により拡散され、送信無線部２１０により所定の無線処理が施された後、アンテナ２０１から送信される。
【００４９】
かかる構成に加えて、チャネルデコーディング部２０５の出力はｕｐ／ｄｏｗｎ／ｋｅｅｐシグナリング抽出部２１１に送出される。ｕｐ／ｄｏｗｎ／ｋｅｅｐシグナリング抽出部２１１は受信データの所定位置に埋め込まれたｕｐ／ｄｏｗｎ／ｋｅｅｐ信号Ｓ１０を抽出し、当該ｕｐ／ｄｏｗｎ／ｋｅｅｐ信号Ｓ１０をＴＦＣポインタ制御部２１２に送出する。
【００５０】
ＴＦＣポインタ制御部２１２は、ｕｐ信号が入力された場合にはＴＦＣポインタを上げ（すなわちＴＦＣポインタを伝送レートの大きいＴＦＣに変更し）、ｄｏｗｎ信号が入力された場合にはＴＦＣポインタを下げ（すなわちＴＦＣポインタを伝送レートの小さいＴＦＣに変更し）、何も入力されなかった場合にはＴＦＣポインタを維持する。
【００５１】
ＴＦＣ決定部２１３は、ＴＦＣポインタ制御部２１２からＴＦＣポインタ情報Ｓ１１を入力すると共にバッファ２０６から現在のバッファに蓄積されたデータ量を入力し、さらに送信無線部２１０から送信パワーマージン情報を入力する。そしてＴＦＣ決定部２１３は、現在のバッファ２０６のデータ量やパワーマージンの状況に基づき、ＴＦＣポインタで示される伝送レート以下のＴＦＣを決定する。ＴＦＣ決定部２１３は、決定したＴＦＣに応じた、データサイズ、符号化率、変調方式、拡散率、送信電力を、それぞれバッファ２０６、チャネルコーディング部２０７、変調部２０８、拡散部２０９、送信無線部２１０に送出する。
【００５２】
またＴＦＣ決定部２１３は、決定したＴＦＣを示すＴＦＣＩ情報Ｓ１３をチャネルコーディング部２０７に送出する。チャネルコーディング部２０７はこのＴＦＣＩに対して誤り訂正符号化処理を施して出力する。これにより、誤り訂正符号化処理されたＴＦＣＩが無線基地局装置１００に送信される。
【００５３】
これに加えて、ＴＦＣ決定部２１３は、決定したＴＦＣ情報Ｓ１２をＴＦＣポインタ制御部２１２に送出する。ＴＦＣポインタ制御部２１２は、ＴＦＣ決定部２１３によって決定されたＴＦＣにＴＦＣポインタを合わせる。
【００５４】
ここでＴＦＣポインタ制御部２１２は、図４に示すように構成されている。ＴＦＣポインタ制御部２１２はＴＦＣポインタ更新部２２０とＴＦＣポインタ記憶部２２１を有し、ｕｐ／ｄｏｗｎ／ｋｅｅｐ信号Ｓ１０をＴＦＣポインタ更新部２２０に入力する。ＴＦＣポインタ更新部２２０は、ＴＦＣポインタ記憶部２２１に記憶されているＴＦＣポインタを読み出し、これをｕｐ／ｄｏｗｎ／ｋｅｅｐ信号Ｓ１０に応じたＴＦＣポインタに更新し、更新後のＴＦＣポインタをＴＦＣポインタ記憶部２２１に書き込む。またＴＦＣポインタ更新部２２０は、更新後のＴＦＣポインタ情報Ｓ１１をＴＦＣ決定部２１３に送出する。
【００５５】
またＴＦＣポインタ記憶部２２１に記憶されたＴＦＣポインタはＴＦＣ決定部２１３によって決定されたＴＦＣに書き換えられる。因みに、ＴＦＣ決定部２１３から入力されるＴＦＣ情報Ｓ１２がＴＦＣポインタ記憶部２２１に記憶されているＴＦＣポインタと同じであればＴＦＣポインタ記憶部２２１へのＴＦＣ決定部２１３からの入力及び変更は無くてよい。また必ずＴＦＣ決定部２１３からのＴＦＣ情報Ｓ１２でＴＦＣポインタを初期化するならば、ＴＦＣポインタ更新部２２０で更新したＴＦＣポインタをＴＦＣポインタ記憶部２２１に書き込まなくてもよい。
【００５６】
このように本実施の形態の通信端末装置２００においては、ＴＦＣポインタ以下の伝送レートを示すＴＦＣを決定するＴＦＣ決定部２１３と、ＴＦＣポインタを無線基地局装置からのｕｐ／ｄｏｗｎ／ｋｅｅｐ信号Ｓ１０に基づいて更新するのに加えて、ＴＦＣ決定部２１３で決定したＴＦＣに合わせて更新するＴＦＣポインタ制御部２１２と、ＴＦＣ決定部２１３で決定したＴＦＣを示すＴＦＣＩ情報Ｓ１３を無線基地局装置に送信するＴＦＣＩ送信部とを有する。
【００５７】
次にこの実施の形態の無線基地局装置１００及び通信端末装置２００によるＴＦＣポインタの調整動作について説明する。図５に、無線基地局装置１００での調整動作を示す。無線基地局装置１００は、ステップＳＴ１０で調整動作を開始すると、ステップＳＴ１１でＴＦＣＩチェック部１２０において、通信端末装置（移動局）２００から送られてきたＴＦＣＩで示されたＴＦＣと自局で保持しているＴＦＣポインタのＴＦＣが異なるか否か判断する。
【００５８】
ステップＳＴ１１で否定結果が得られた場合、すなわち自局のＴＦＣポインタと通信端末装置２００で用いられたＴＦＣが同じ場合には、ステップＳＴ１２に移り、ＴＦＣポインタ決定部１２２において、自局で保持している前回のＴＦＣポインタから新たなＴＦＣポインタを決定する。そして続くステップＳＴ１３に進んで、ＴＦＣポインタ決定部１２２において、新たなＴＦＣポインタが前回のＴＦＣポインタに対して大きいか小さいかを比較し、この比較結果に基づくｕｐ／ｄｏｗｎ／ｋｅｅｐ信号を生成して、ｕｐ／ｄｏｗｎ／ｋｅｅｐ信号を送信する。
【００５９】
これに対してステップＳＴ１１で肯定結果が得られた場合、すなわち自局のＴＦＣポインタと通信端末装置２００で用いられたＴＦＣが異なる場合には、ステップＳＴ１４に移り、ＴＦＣポインタ記憶部１２１に記憶されていたＴＦＣポインタをＴＦＣＩで示されるＴＦＣに変更する。これにより、無線基地局装置１００のＴＦＣポインタと通信端末装置２００のＴＦＣポインタが同じものに補正される。続くステップＳＴ１５では、ＴＦＣポインタ決定部１２２において、補正されたＴＦＣポインタから新たなＴＦＣポインタを決定する。そして続くステップＳＴ１３に進んで、ＴＦＣポインタ決定部１２２において、新たなＴＦＣポインタが補正されたＴＦＣポインタに対して大きいか小さいかを比較し、この比較結果に基づくｕｐ／ｄｏｗｎ／ｋｅｅｐ信号を生成して、ｕｐ／ｄｏｗｎ／ｋｅｅｐ信号を送信する。
【００６０】
そして無線基地局装置１００は、ステップＳＴ１３の処理の後、ステップＳＴ１６に進んでＴＦＣポインタ調整動作を終了する。かくして、無線基地局装置１００は、このＴＦＣポインタ調整動作を行うことにより、通信端末装置２００のＴＦＣポインタと同じＴＦＣポインタを保持できるようになる。
【００６１】
図６に、通信端末装置２００でのＴＦＣポインタ調整動作を示す。通信端末装置２００は、ステップＳＴ２０で調整動作を開始すると、ステップＳＴ２１でＴＦＣポインタ制御部２１２が無線基地局装置１００から送られてきたｕｐ／ｄｏｗｎ／ｋｅｅｐ信号に従ってＴＦＣポインタを更新し、ステップＳＴ２２に進む。ステップＳＴ２２では、ＴＦＣ決定部２１３がＴＦＣポインタ以下のＴＦＣを決定し、ステップＳＴ２３に進む。
【００６２】
ステップＳＴ２３では、ＴＦＣポインタで示されたＴＦＣと同じＴＦＣで送信するか否か、すなわちステップＳＴ２１で更新されたＴＦＣポインタとステップＳＴ２２で決定されたＴＦＣが同じか否か判断し、ＴＦＣポインタと同じＴＦＣで送信する場合には、ステップＳＴ２４に移る。これに対してステップＳＴ２３においてＴＦＣポインタと異なるＴＦＣで送信すると判断した（実際にはＴＦＣポインタよりも大きいＴＦＣで送信することはないのでＴＦＣがＴＦＣポインタよりも小さいか判断する）場合、ステップＳＴ２５に移って、ＴＦＣ決定部２１３が、ＴＦＣポインタ記憶部２２１のＴＦＣポインタを送信するＴＦＣに合わせて更新し、ステップＳＴ２４に進む。
【００６３】
ステップＳＴ２４ではＴＦＣＩを無線基地局装置１００に送信し、続くステップＳＴ２６でＴＦＣポインタ調整動作を終了する。かくして通信端末装置２００は、ＴＦＣポインタを実際に用いたＴＦＣに変更するようになっている。これにより、無線基地局装置１００に送信されるＴＦＣＩは、通信端末装置２００のＴＦＣポインタを表すものとなる。
【００６４】
図７に、本実施の形態による無線基地局装置（基地局）１００と通信端末装置（移動局）２００のＴＦＣポインタの調整の様子を示す。先ず図７のような送受信を開始する前に、基地局は移動局にＴＦＣポインタを示すＴＦＣ番号を通知し、両局のＴＰＣポインタが一致しているものとする。基地局は、時点ｔ１の前に新たなＴＦＣポインタを決定し、前回のＴＦＣポインタと新たなＴＦＣポインタとの関係に基づくｕｐ／ｄｏｗｎ／ｋｅｅｐ信号（ｕｐ／ｄｏｗｎ／ｋｅｅｐシグナリング）を時点ｔ１に送信する。
【００６５】
このｕｐ／ｄｏｗｎ／ｋｅｅｐ信号は、時点ｔ２で移動局によって受信されるが、このとき受信エラーが発生すると、移動局はＴＦＣポインタを基地局が意図していたものと異なるものに更新する。従って、移動局は、誤ったＴＦＣポインタを基準にしてＴＦＣを決定することになる。そこで、移動局は、決定したＴＦＣに合わせてＴＦＣポインタを変更する。そして時点ｔ３でＴＦＣＩを送信する。これにより、移動局のＴＦＣポインタはＴＦＣＩで示されるＴＦＣと同じになる。
【００６６】
ＴＦＣＩは、時点ｔ４で基地局によって受信される。基地局は、受信したＴＦＣＩをチェックし、ＴＦＣＩで示されるＴＦＣに自局のＴＦＣポインタを合わせるように更新する。これにより、移動局のＴＦＣポインタと基地局のＴＦＣポインタを同じにすることができる。基地局は、次に新たなＴＦＣポインタを決定し、この新たなＴＦＣポインタと、更新したＴＦＣポインタとを比較することにより、ｕｐ／ｄｏｗｎ／ｋｅｅｐ信号を生成し、時点ｔ５でこのｕｐ／ｄｏｗｎ／ｋｅｅｐ信号を送信する。
【００６７】
ｕｐ／ｄｏｗｎ／ｋｅｅｐ信号は、時点ｔ６で移動局によって受信される。移動局は、ｕｐ／ｄｏｗｎ／ｋｅｅｐ信号に基づいて、保持していたＴＦＣポインタを更新する。
【００６８】
このように、移動局がｕｐ／ｄｏｗｎ／ｋｅｅｐ信号を誤って受信しても、基地局のＴＦＣポインタを移動局が用いた誤ったＴＦＣポインタに合わせて更新し、以降この誤ったＴＦＣポインタを上下どちらに移動させるかを示すｕｐ／ｄｏｗｎ／ｋｅｅｐ信号を生成するので、移動局のＴＦＣポインタを基地局の意図したものに合わせていくことができるようになる。
【００６９】
図８に、この実施の形態の比較例として、従来の一般的なＴＦＣポインタ調整処理を例に挙げる。図８の場合には、時点ｔ２でｕｐ／ｄｏｗｎ／ｋｅｅｐ信号の受信エラーが発生すると、以降この移動局はこの誤ったＴＦＣポインタを基準としてＴＦＣを決定し続ける。また基地局は、移動局のＴＦＣポインタとずれたＴＦＣポインタを基準としてｕｐ／ｄｏｗｎ／ｋｅｅｐ信号を移動局に送り続けることになる。つまり基地局と移動局のＴＦＣポインタのずれは維持され続けることになる。この結果、移動局では、基地局の意図している伝送レートとは異なる伝送レートで送信が行われる可能性がある。
【００７０】
かくして本実施の形態によれば、通信端末装置２００が、選択したＴＦＣを示すＴＦＣＩを無線基地局装置１００に送信し、無線基地局装置１００が、ＴＦＣＩで示されるＴＦＣを参照してｕｐ／ｄｏｗｎ／ｋｅｅｐ信号を形成し、このｕｐ／ｄｏｗｎ／ｋｅｅｐ信号を通信端末装置２００に送信するようにしたことにより、通信端末装置２００でｕｐ／ｄｏｗｎ／ｋｅｅｐ信号を誤って受信した場合でも、既存の情報（ＴＦＣＩ）を有効に利用して通信端末装置２００のＴＦＣポインタを無線基地局装置１００のＴＦＣポインタに一致させることができるようになる。
【００７１】
この結果、無線基地局装置１００の意図した伝送レートで上り送信を行わせることができるようになる。またＴＦＣＩは、一般に誤り訂正符号化処理が施されて送信されるので、たとえｕｐ／ｄｏｗｎ／ｋｅｅｐ信号が誤るような伝搬路環境下でも、確実に両局のＴＦＣポインタを合わせることができるようになる。
【００７２】
（実施の形態２）
この実施の形態の特徴は、通信端末装置がＴＦＣポインタと異なるＴＦＣを選択したとき（実際にはＴＦＣポインタよりも小さいＴＦＣを選択したとき）にパワーマージン、バッファサイズといったＴＦＣを選択する基となった情報をＴＦＣＩと共に無線基地局装置に送信し、無線基地局装置がこれらの情報に基づいて通信端末装置のＴＦＣポインタが自局のＴＦＣポインタと一致しているのかを判断し、異なる場合にのみＴＦＣポインタ番号を通信端末装置に送信することである。
【００７３】
図１との対応部分に同一符号を付して示す図９に、この実施の形態の無線基地局装置の構成を示す。無線基地局装置３００は、ＴＦＣポインタ信号生成部３０１を有することと、ＴＦＣポインタ制御部３０２の構成が異なることを除いて、図１の無線基地局装置１００と同様の構成でなる。
【００７４】
図１０に、ＴＦＣポインタ制御部３０２の構成を示す。ＴＦＣポインタ制御部３０２のＴＦＣＩチェック部３１０は、ＴＦＣＩ抽出部１１１により抽出されたＴＦＣＩで示されるＴＦＣと、ＴＦＣポインタ記憶部３１１に記憶されている自局のＴＦＣポインタのＴＦＣが異なるか否か判断する。またＴＦＣＩチェック部３１０は、これらのＴＦＣが異なる場合には、通信端末装置から送られてきたパワーマージン／バッファ情報Ｓ３を参照して、ＴＦＣＩが示すＴＦＣが誤ったＴＦＣポインタを基準に生成されたものかどうかチェックする。つまり、通信端末装置のＴＦＣポインタが誤ったものか否か判断する。そして判断結果Ｓ２０をＴＦＣポインタ決定部３１２に送出する。
【００７５】
ＴＦＣポインタ決定部３１２は、ＴＦＣポインタが誤っていないことを示す判断結果Ｓ２０が入力された場合には、ＴＦＣポインタ記憶部３１１に記憶されているＴＦＣポインタと、パワーマージン／バッファ情報Ｓ３と、自局での受信における空きリソースとから、ＴＦＣポインタを上げるか下げるか又は維持するかを決定し、ｕｐ／ｄｏｗｎ／ｋｅｅｐシグナリング生成部１０２にＴＦＣポインタ制御信号Ｓ４を送出する。またＴＦＣポインタを上下させた場合には、上下させた新たなＴＦＣポインタをＴＦＣポインタ記憶部３１１に記憶させる。
【００７６】
これに対して、ＴＦＣポインタ決定部３１２は、通信端末装置のＴＦＣポインタが誤っていることを示す判断結果Ｓ２０が入力された場合には、パワーマージン／バッファ情報Ｓ３と、自局での受信における空きリソースとから、新たなＴＦＣポインタを決定し、このＴＦＣポインタ情報Ｓ２１をＴＦＣポインタ信号生成部３０１に送出すると共にＴＦＣポインタ記憶部３１１に記憶させる。ＴＦＣポインタ信号生成部３０１は、ＴＦＣポインタ情報Ｓ２１に基づくＴＦＣポインタ信号Ｓ２２を生成し、これをチャネルコーディング部１０１に送出する。これにより、ＴＦＣポインタ信号Ｓ２２がチャネルコーディング部１０１によって誤り訂正符号化処理され、通信端末装置に送信される。
【００７７】
図３との対応部分に同一符号を付して示す図１１に、無線基地局装置３００と通信を行う本実施の形態の通信端末装置の構成を示す。通信端末装置４００は、ＴＦＣポインタ抽出部４０１を有することと、ＴＦＣポインタ制御部４０２及びＴＦＣ決定部４０３の構成が異なることを除いて、図３の通信端末装置２００と同様の構成でなる。ＴＦＣポインタ抽出部４０１は、チャネルデコーディング処理されたデータからＴＦＣポインタ情報Ｓ３０を抽出してＴＦＣポインタ制御部４０２に送出する。
【００７８】
ＴＦＣポインタ制御部４０２は、図１２に示すように構成されている。ＴＦＣポインタ制御部４０２はＴＦＣポインタ更新部４１０とＴＦＣポインタ記憶部４１１を有する。ＴＦＣポインタ更新部４１０は、ＴＦＣポインタ記憶部４１１に記憶されているＴＦＣポインタを読み出し、これをｕｐ／ｄｏｗｎ／ｋｅｅｐ信号に応じたＴＦＣポインタに変更し、変更したＴＦＣポインタ情報Ｓ１１をＴＦＣ決定部４０３に送出すると共にＴＦＣポインタ記憶部４１１に書き込む。加えて、ＴＦＣポインタ更新部４１０は、ＴＦＣポインタ抽出部４０１からのＴＦＣポインタ情報Ｓ３０を入力した場合には、ＴＦＣポインタ記憶部４１１のＴＦＣポインタをそのＴＦＣポインタ情報Ｓ３０に書き換えると共にそのＴＦＣポインタ情報Ｓ３０をＴＦＣポインタ情報Ｓ１１としてＴＦＣ決定部４０３に送出する。
【００７９】
ここでＴＦＣポインタ情報Ｓ３０が抽出される場合とは、無線基地局装置３００で通信端末装置４００のＴＦＣポインタが誤っていると判断された場合であり、このような場合のみＴＦＣポインタ記憶部４１１に記憶されるＴＦＣポインタが強制的にＴＦＣポインタ情報Ｓ３０に合わせられる。これにより、通信端末装置４００のＴＦＣポインタを無線基地局装置３００のＴＦＣポインタに一致させることができる。
【００８０】
図１３に、ＴＦＣ決定部４０３の構成を示す。ＴＦＣ決定部４０３はＴＦＣ選択部４２０にＴＦＣポインタ制御部４０２からのＴＦＣポインタ情報Ｓ１１を入力する。ＴＦＣ選択部４２０は、現在のバッファ２０６のデータ量や送信無線部２１０でのパワーマージンの状況に基づき、ＴＦＣポインタで示される伝送レート以下のＴＦＣを選択する。そしてＴＦＣ選択部４２０は、選択したＴＦＣに応じた、データサイズ、符号化率、変調方式、拡散率、送信電力を、それぞれバッファ、チャネルコーディング部、変調部、拡散部、送信無線部に送出する。
【００８１】
加えて、ＴＦＣ選択部４２０は選択したＴＦＣをＴＦＣ比較部４２１に送出する。ＴＦＣ比較部４２１は、ＴＦＣ選択部４２０からのＴＦＣとＴＦＣポインタ制御部４０２からのＴＦＣポインタ情報Ｓ１１とを比較し、これらが異なった場合にのみ、パワーマージン／バッファ情報生成部２１４にパワーマージン／バッファ情報を生成する指示を与える。
【００８２】
ここで図１４及び図１５を用いて、無線基地局装置３００のＴＦＣＩチェック部３１０（図１０）でのチェック方法についてさらに具体的に説明する。図１４は、上述したように通信端末装置（移動局）４００がパワーマージン／バッファサイズ情報を、選択したＴＦＣがＴＦＣポインタ未満のときだけ送る場合のＴＦＣＩチェック部３１０でのチェック方法を示す。ここでは図１４（Ａ）〜図１４（Ｄ）に示すように、４つのケースを想定する。
【００８３】
図１４（Ａ）で示すケース１は、移動局のＴＦＣポインタが指すＴＦＣが基地局のＴＦＣポインタが指すＴＦＣと同じかそれ以下であり、かつ移動局が選択したＴＦＣが移動局のＴＦＣポインタが指すＴＦＣよりも小さい場合を想定したものである。この場合、基地局はＴＦＣポインタを送信しない。これは、基地局が示したＴＦＣポインタ以下のＴＦＣを移動局が使用していて（ＴＦＣＩから分かる）、現在の伝送レートで送ってきている理由がパワーマージンやバッファサイズで分かるからである。たとえ移動局のＴＦＣポインタが指すＴＦＣが間違っていたとしても現時点では問題にはならない。さらに、余分なＴＦＣポインタであることを基地局は知ることができるので、リソースを有効に使用することができる。
【００８４】
図１４（Ｂ）で示すケース２は、移動局のＴＦＣポインタが指すＴＦＣが基地局のＴＦＣポインタが指すＴＦＣと同じかそれ以上であり、かつ移動局が選択したＴＦＣが基地局のＴＦＣポインタが指すＴＦＣと同じ場合を想定したものである。この場合、移動局のＴＦＣポインタが指すＴＦＣ（図中＊１）が基地局のＴＦＣポインタが指すＴＦＣと同じときには、基地局はＴＦＣポインタを送信しない。これは、パワーマージンやバッファサイズ情報が送られてきていないので、正しいＴＦＣポインタであることが分かるからである。一方、移動局のＴＦＣポインタが指すＴＦＣ（図中＊２）が基地局のＴＦＣポインタが指すＴＦＣよりも大きいときには、基地局はＴＦＣポインタを送信する。因みに、移動局のＴＦＣポインタが指すＴＦＣ（図中＊２）が基地局のＴＦＣポインタが指すＴＦＣよりも大きいことは、パワーマージンやバッファサイズ情報が送られてきているので分かる。
【００８５】
図１４（Ｃ）で示すケース３は、移動局の選択したＴＦＣ（ＴＦＣＩから分かる）が基地局のＴＦＣポインタが指すＴＦＣよりも大きい場合を想定したものである。この場合、移動局のＴＦＣポインタが指すＴＦＣが基地局のＴＦＣポインタが指すＴＦＣよりも大きいことは明らかであり、この状態で移動局が送信を続けるとまずいので、基地局はＴＦＣポインタを送信する。
【００８６】
図１４（Ｄ）で示すケース４は、移動局の選択したＴＦＣ（ＴＦＣＩから分かる）が基地局のＴＦＣポインタが指すＴＦＣよりも小さく、かつ移動局が自局のＴＦＣポインタが指すＴＦＣと同じＴＦＣを選択した（これはパワーマージンやバッファサイズ情報が送られてこないことから分かる）場合を想定したものである。この場合、移動局のＴＦＣポインタが誤りであることが分かるので、基地局はＴＦＣポインタを送信する。
【００８７】
図１５は、移動局がパワーマージン／バッファサイズ情報を、選択したＴＦＣがＴＦＣポインタ未満のときは必ず送り、かつそれ以外にも送信する時間がある場合のＴＦＣＩチェック部３１０でのチェック方法を示す。ここでは図１５（Ａ）〜図１５（Ｄ）に示すように、４つのケースを想定する。
【００８８】
図１５（Ａ）で示すケース１は、移動局のＴＦＣポインタが指すＴＦＣが基地局のＴＦＣポインタが指すＴＦＣと同じかそれ以下であり、かつ移動局が選択したＴＦＣが移動局のＴＦＣポインタが指すＴＦＣよりも小さい場合を想定したものである。この場合、基地局はＴＦＣポインタを送信しない。これは、基地局が示したＴＦＣポインタ以下のＴＦＣを移動局が使用していて（ＴＦＣＩから分かる）、現在の伝送レートで送ってきている理由がパワーマージンやバッファサイズで分かるからである。たとえ移動局のＴＦＣポインタが指すＴＦＣが間違っていたとしても現時点では問題にはならない。さらに、余分なＴＦＣポインタであることを基地局は知ることができるので、リソースを有効に使用することができる。
【００８９】
図１５（Ｂ）で示すケース２は、移動局のＴＦＣポインタが指すＴＦＣが基地局のＴＦＣポインタが指すＴＦＣと同じかそれ以上であり、かつ移動局が選択したＴＦＣが基地局のＴＦＣポインタが指すＴＦＣと同じ場合を想定したものである。この場合、基地局はＴＦＣポインタを送信しない。これは、基地局が示したＴＦＣポインタと同じＴＦＣを移動局が使用していて（ＴＦＣＩから分かる）、移動局のＴＦＣポインタが指すＴＦＣが間違っていたとしても現時点では問題にはならないし、また基地局は知ることができない（たまたま、パワーマージンやバッファサイズが送られてきているかもしれないため）。
【００９０】
図１５（Ｃ）で示すケース３は、移動局の選択したＴＦＣ（ＴＦＣＩから分かる）が基地局のＴＦＣポインタが指すＴＦＣよりも大きい場合を想定したものである。この場合、移動局のＴＦＣポインタが指すＴＦＣが基地局のＴＦＣポインタが指すＴＦＣよりも大きいことは明らかであり、この状態で移動局が送信を続けるとまずいので、基地局はＴＦＣポインタを送信する。
【００９１】
図１５（Ｄ）で示すケース４は、移動局の選択したＴＦＣ（ＴＦＣＩから分かる）が基地局のＴＦＣポインタが指すＴＦＣよりも小さく、かつ移動局が自局のＴＦＣポインタが指すＴＦＣと同じＴＦＣを選択した（これはパワーマージンやバッファサイズ情報が送られてこないことから分かる）場合を想定したものである。この場合、パワーマージン／バッファ情報が送られてこないときは、移動局のＴＦＣポインタは選択したＴＦＣと同じであり、間違っていると分かるので、基地局はＴＦＣポインタを送信する。一方、パワーマージン／バッファ情報がたまたま送られてきており、選択している伝送レート以上の伝送レートで送れるにもかかわらず低い伝送レートで送っていると分かれば、移動局のＴＦＣポインタが間違っていると分かるので、基地局はＴＦＣポインタを送信する。またパワーマージン／バッファ情報がたまたま送られてきており、選択している伝送レートが送信可能な最大伝送レートだと分かったとき、基地局では、移動局のＴＦＣポインタが誤っていることは分からないので、基地局はＴＦＣポインタを送信しない。この場合は基地局のＴＦＣポインタより小さいＴＦＣが選択されており、それがその移動局にとって送信可能な最大伝送レートであるので、問題にならない。
【００９２】
次にこの実施の形態の無線基地局装置３００及び通信端末装置４００によるＴＦＣポインタの調整動作について説明する。図１６に、無線基地局装置３００での調整動作を示す。無線基地局装置３００は、ステップＳＴ３０で調整動作を開始すると、ステップＳＴ３１でＴＦＣＩチェック部３１０において、通信端末装置（移動局）４００から送られてきたＴＦＣＩで示されたＴＦＣと自局で保持しているＴＦＣポインタのＴＦＣが異なるか否か判断する。
【００９３】
ステップＳＴ３１で否定結果が得られた場合、すなわち自局のＴＦＣポインタと移動局で用いられたＴＦＣが同じ場合には、ステップＳＴ３２に移り、ＴＦＣポインタ決定部３１２において、自局で保持している前回のＴＦＣポインタから新たなＴＦＣポインタを決定する。そして続くステップＳＴ３３に進んで、ＴＦＣポインタ決定部３１２において、新たなＴＦＣポインタが前回のＴＦＣポインタに対して大きいか小さいかを比較し、この比較結果に基づくｕｐ／ｄｏｗｎ／ｋｅｅｐ信号を生成して、ｕｐ／ｄｏｗｎ／ｋｅｅｐ信号を送信する。
【００９４】
これに対してステップＳＴ３１で肯定結果が得られた場合、すなわち自局のＴＦＣポインタと移動局で用いられたＴＦＣが異なる場合には、ステップＳＴ３４に移る。ステップＳＴ３４では、ＴＦＣＩチェック部３１０が移動局から送られてきたパワーマージン／バッファ情報Ｓ３を参照して、ＴＦＣＩ情報Ｓ２が示すＴＦＣが誤ったＴＦＣポインタを基準に生成されたものかどうかチェックする。つまり、移動局のＴＦＣポインタが誤ったものか否か判断する。因みに、図１４、図１５を用いて説明したように基地局では自局のＴＦＣポインタと移動局で用いられたＴＦＣが異なるか判断できないが問題とならない場合には誤っていないと判断する。そして誤っていないと判断した場合にはステップＳＴ３２に移り、誤っていると判断した場合にはステップＳＴ３５に移る。
【００９５】
基地局はステップＳＴ３５に移ると、ＴＦＣポインタ決定部３１２において、パワーマージン／バッファ情報Ｓ３と、自局での受信における空きリソースとから、新たなＴＦＣポインタを決定し、続くステップＳＴ３６でこのＴＦＣポインタ情報を移動局に送信する。そして基地局は、ステップＳＴ３３又はステップＳＴ３６の処理の後、ステップＳＴ３７に移ってＴＦＣポインタ調整動作を終了する。
【００９６】
図１７を用いて、通信端末装置４００におけるＴＦＣＩ及びパワーマージン／バッファサイズ情報の送信処理について説明する。通信端末装置４００は、ステップＳＴ４０で処理を開始すると、ステップＳＴ４１でＴＦＣポインタ制御部４０２が無線基地局装置３００から送られてきたｕｐ／ｄｏｗｎ／ｋｅｅｐ信号に従ってＴＦＣポインタを更新し、ステップＳＴ４２に進む。ステップＳＴ４２では、ＴＦＣ決定部４０３がＴＦＣポインタ以下のＴＦＣを決定し、ステップＳＴ４３に進む。
【００９７】
ステップＳＴ４３では、ＴＦＣ比較部４２１において、ＴＦＣポインタで示されたＴＦＣと同じＴＦＣが決定されたか否か判断し、ＴＦＣポインタと同じＴＦＣである場合には、ステップＳＴ４４に移る。ステップＳＴ４４では、自局で用いたＴＦＣを示すＴＦＣＩ情報を送信する。
【００９８】
これに対して、ステップＳＴ４３で否定結果を得ると、ステップＳＴ４５に移ってパワーマージン／バッファサイズ情報を送信し、ステップＳＴ４４でＴＦＣＩを送信する。なお図１７では、ステップＳＴ４５でパワーマージン／バッファサイズ情報を送信してからステップＳＴ４４でＴＦＣＩを送信するようにしているがその逆でもよいし、同時でも良い。
【００９９】
本実施の形態の通信端末装置４００の特徴は、要するに、ＴＦＣポインタで示されたＴＦＣと異なるＴＦＣを用いて送信を行う場合には、そのＴＦＣ選択の基となったパワーマージン／バッファサイズ情報を送ることである。これにより、無線基地局装置３００は、ＴＦＣＩで示されるＴＦＣ情報とそのＴＦＣ選択の基となったパワーマージン／バッファサイズ情報とに基づいて、通信端末装置４００のＴＦＣポインタが誤っているか否かをチェックできるようになる。
【０１００】
図１８に、本実施の形態による無線基地局装置（基地局）３００と通信端末装置（移動局）４００のＴＦＣポインタの調整の様子を示す。先ず図１８のような送受信を開始する前に、基地局は移動局にＴＦＣポインタを示すＴＦＣ番号を通知し、両局のＴＰＣポインタが一致しているものとする。基地局は、時点ｔ１の前に新たなＴＦＣポインタを決定し、前回のＴＦＣポインタと新たなＴＦＣポインタとの大小関係に基づくｕｐ／ｄｏｗｎ／ｋｅｅｐ信号を時点ｔ１に送信する。
【０１０１】
移動局はこのｕｐ／ｄｏｗｎ／ｋｅｅｐ信号を時点ｔ２で受信すると、ｕｐ／ｄｏｗｎ／ｋｅｅｐ信号に基づいてＴＦＣポインタを更新し、パワーマージン／バッファサイズ情報に基づきこのＴＦＣポインタ以下のＴＦＣを決定する。そして移動局は、時点ｔ３においてＴＦＣを示すＴＦＣＩを送信する。加えて、移動局は、ＴＦＣポインタと異なるＴＦＣを決定した場合には（すなわちＴＦＣポインタ未満のＴＦＣを決定した場合には）、時点ｔ３とほぼ同時刻にパワーマージン／バッファサイズ情報を送信する。
【０１０２】
基地局は、時点ｔ４において、ＴＦＣＩ情報とパワーマージン／バッファサイズ情報を受信する。ここでＴＦＣＩ情報のみ受信した場合には、ＴＦＣＩと自局のＴＦＣポインタとを比較することで、移動局と自局のＴＦＣポインタが一致しているかを判断する。そして、一致していると判断した場合には、新たに決定したＴＦＣポインタと前回までのＴＦＣポインタの大小関係からｕｐ／ｄｏｗｎ／ｋｅｅｐ信号を生成し、時点ｔ５でｕｐ／ｄｏｗｎ／ｋｅｅｐ信号を送信する。これに対して、移動局と自局のＴＦＣポインタがずれていると判断した場合には、時点ｔ５でＴＦＣポインタ信号（ＴＦＣ番号）を送信する。
【０１０３】
一方、基地局は時点ｔ４でＴＦＣＩ情報とパワーマージン／バッファサイズ情報の両方を受信した場合には、パワーマージン／バッファサイズ情報を参照して、移動局のＴＦＣが誤ったＴＦＣポインタを基準に生成されたものかどうかチェックする。ここで移動局のＴＦＣポインタが誤っていないと判断した場合には、時点ｔ５でｕｐ／ｄｏｗｎ／ｋｅｅｐ信号を送信し、誤っていると判断した場合にはｕｐ／ｄｏｗｎ／ｋｅｅｐ信号に換えてＴＦＣポインタ信号（ＴＦＣ番号）を送信する。
【０１０４】
移動局は、時点ｔ６においてｕｐ／ｄｏｗｎ／ｋｅｅｐ信号又はＴＦＣポインタ信号を受信すると、それに基づいてＴＦＣポインタを更新する。
【０１０５】
かくして本実施の形態によれば、無線基地局装置３００が、通信端末装置４００のＴＦＣポインタがずれていると判断したときのみ、自局のＴＦＣポインタ信号を通信端末装置４００に通知するようにしたことにより、実際に必要なときだけＴＦＣポインタ信号を通知することができ、伝送情報量の増加を最小限に抑えながら、両局のＴＦＣポインタを確実に合わせることができるようになる。
【０１０６】
（実施の形態３）
この実施の形態の特徴は、通信端末装置が自局のＴＦＣポインタと同じＴＦＣを選択したか異なるＴＦＣを選択したかを示すフラグをＴＦＣＩと共に無線基地局装置に送信し、無線基地局装置がこのフラグとＴＦＣＩに基づいて通信端末装置のＴＦＣポインタが自局のＴＦＣポインタと一致しているのかを判断し、異なる場合にのみＴＦＣポインタ信号を通信端末装置に送信することである。
【０１０７】
図９との対応部分に同一符号を付して示す図１９に、この実施の形態の無線基地局装置の構成を示す。無線基地局装置５００は、ポインタフラグ抽出部５０１を有することと、ＴＦＣポインタ制御部５０２の構成が異なることを除いて、図９の無線基地局装置３００と同様の構成でなる。ポインタフラグ抽出部５０１は、通信端末装置がＴＦＣポインタと同じＴＦＣを用いたか否を示すポインタフラグ情報Ｓ４０を抽出し、これをＴＦＣポインタ制御部５０２に送出する。
【０１０８】
図２０に、ＴＦＣポインタ制御部５０２の構成を示す。図１０との対応部分に同一符号を付して示す図２０において、ＴＦＣポインタ制御部５０２のＴＦＣＩチェック部５１０には、ＴＦＣＩ情報Ｓ２とポインタフラグ情報Ｓ４０が入力される。ＴＦＣＩチェック部５１０は、ポインタフラグが「１」（通信端末装置でＴＦＣポインタと同じＴＦＣを選択したことを示す）の場合、ＴＦＣＩが示すＴＦＣとＴＦＣポインタ記憶部３１１に記憶されている自局のＴＦＣポインタとを比較し、それらが一致する場合には、ＴＦＣポインタ決定部３１２にＴＦＣポインタ制御信号Ｓ４を出力することを指示する判断結果Ｓ２０を送出する。これに対して、ＴＦＣＩが示すＴＦＣとＴＦＣポインタ記憶部３１１に記憶されている自局のＴＦＣポインタが一致しない場合には、ＴＦＣポインタ決定部３１２にＴＦＣポインタ情報Ｓ２１を出力することを指示する判断結果Ｓ２０を送出する。
【０１０９】
またＴＦＣＩチェック部５１０は、ポインタフラグが「−１」（通信端末装置でＴＦＣポインタと異なるＴＦＣを選択したことを示す）の場合、ＴＦＣＩが示すＴＦＣとＴＦＣポインタ記憶部３１１に記憶されている自局のＴＦＣポインタとを比較し、それらが一致する場合には、ＴＦＣポインタ決定部３１２にＴＦＣポインタ制御信号Ｓ２１を出力することを指示する判断結果Ｓ２０を送出する。これに対して、ＴＦＣＩが示すＴＦＣとＴＦＣポインタ記憶部３１１に記憶されている自局のＴＦＣポインタが一致しない場合で、かつＴＦＣＩが示すＴＦＣがＴＦＣポインタ記憶部３１１に記憶されている自局のＴＦＣポインタより大きい（伝送レートが大きい）場合は、ＴＦＣポインタ決定部３１２にＴＦＣポインタ情報Ｓ２１を出力することを指示する判断結果Ｓ２０を送出する。逆に、ＴＦＣＩが示すＴＦＣとＴＦＣポインタ記憶部３１１に記憶されている自局のＴＦＣポインタが一致しない場合で、かつＴＦＣＩが示すＴＦＣがＴＦＣポインタ記憶部３１１に記憶されている自局のＴＦＣポインタより小さい（伝送レートが小さい）場合は、ＴＦＣポインタ決定部３１２にＴＦＣポインタ制御信号Ｓ４を出力することを指示する判断結果Ｓ２０を送出する(伝送レート自体は小さくても問題なく、移動局のＴＦＣポインタが間違っているかどうかは基地局では判断できないため)。
【０１１０】
すなわち、無線基地局装置５００は、ポインタフラグが「１」でかつ自局が保持しているＴＦＣポインタとＴＦＣＩのＴＦＣが一致するとき、またはポインタフラグが「−１」でかつ自局が保持するＴＦＣポインタよりＴＦＣＩが示すＴＦＣが小さい(伝送レートが小さい)ときは、ｕｐ／ｄｏｗｎ／ｋｅｅｐ信号を送信し、それ以外はＴＦＣポインタ信号（ＴＦＣ番号）を送信するようになっている。
【０１１１】
これにより、実際上必要なときのみＴＦＣポインタ信号を送ることができる。またＴＦＣポインタ信号を送るか、ｕｐ／ｄｏｗｎ／ｋｅｅｐ信号を送るかを、ポインタフラグで判断するようにしたことにより、実施の形態２と比べて、ＴＰＣポインタ信号を送るかｕｐ／ｄｏｗｎ／ｋｅｅｐ信号を送るかの判断を、容易に行うことができるようになる。
【０１１２】
図１１との対応部分に同一符号を付して示す図２１に、無線基地局装置５００と通信を行う本実施の形態の通信端末装置の構成を示す。通信端末装置６００はポインタフラグ生成部６０１を有する。ポインタフラグ生成部６０１は、ＴＦＣポインタ制御部４０２に格納されているＴＦＣポインタ情報とＴＦＣ決定部４０３で決定されたＴＦＣが一致する場合にはフラグ「１」を生成すると共に、一致しない場合にはフラグ「−１」を生成する。ポインタフラグ生成部６０１は生成したポインタフラグ情報Ｓ５０をチャネルコーディング部２０７に送出する。これにより、通信端末装置６００からポインタフラグが送信される。
【０１１３】
次にこの実施の形態の無線基地局装置５００及び通信端末装置６００によるＴＦＣポインタの調整動作について説明する。図２２に、無線基地局装置５００での調整動作を示す。無線基地局装置５００は、ステップＳＴ５０で調整動作を開始すると、ステップＳＴ５１でＴＦＣＩチェック部５１０（図２０）において、通信端末装置（移動局）６００から送られてきたポインタフラグとＴＦＣＩに基づいて、移動局のＴＦＣポインタが誤っているか否かをチェックする。この実施の形態の場合には、上述したように、ポインタフラグが「１」でかつ自局が保持しているＴＦＣポインタとＴＦＣＩのＴＦＣが一致するとき、またはポインタフラグが「−１」でかつ自局が保持するＴＦＣポインタよりＴＦＣＩが示すＴＦＣが小さい(伝送レートが小さい)ときのみ誤っていないと判断し、それ以外は誤っていると判断する。
【０１１４】
無線基地局装置５００は、ステップＳＴ５１で移動局のＴＦＣポインタが誤っていないと判断すると、ステップＳＴ５２に移り、ＴＦＣポインタ決定部３１２において、自局で保持している前回のＴＦＣポインタから新たなＴＦＣポインタを決定する。そして続くステップＳＴ５３において、ＴＦＣポインタ決定部３１２において、新たなＴＦＣポインタが前回のＴＦＣポインタに対して大きいか小さいかを比較し、この比較結果に基づくｕｐ／ｄｏｗｎ／ｋｅｅｐ信号を生成して、ｕｐ／ｄｏｗｎ／ｋｅｅｐ信号を送信する。
【０１１５】
これに対して、ステップＳＴ５１で移動局のＴＦＣポインタが誤っていると判断すると、ステップＳＴ５４に移り、ＴＦＣポインタ決定部３１２において、自局で保持している前回のＴＦＣポインタから新たなＴＦＣポインタを決定する。そして続くステップＳＴ５５においてＴＦＣポインタ信号を送信する。無線基地局装置５００は、ステップＳＴ５３又はステップＳＴ５５の後、ステップＳＴ５６でＴＦＣ調整動作を終了する。
【０１１６】
図２３に、通信端末装置６００でのポインタフラグ作成動作を示す。通信端末装置６００は、ステップＳＴ６０でポインタフラグ作成動作を開始すると、続くステップＳＴ６１でＴＦＣポインタ制御部４０２が無線基地局装置５００から送られてきたｕｐ／ｄｏｗｎ／ｋｅｅｐ信号に従ってＴＦＣポインタを更新し、ステップＳＴ６２に進む。ステップＳＴ６２では、ＴＦＣポインタ以下のＴＦＣを決定し、ステップＳＴ６３に進む。
【０１１７】
ステップＳＴ６３では、ＴＦＣポインタで示されたＴＦＣと同じＴＦＣが決定されたか否か判断する。そしてＴＦＣポインタと同じＴＦＣである場合には、ステップＳＴ６４に移ってポインタフラグを「１」とし、ＴＦＣポインタと異なるＴＦＣである場合には、ステップＳＴ６５に移ってポインタフラグを「−１」とする。通信端末装置６００は、ステップＳＴ６３又はステップＳＴ６４でポインタフラグを生成した後、ステップＳＴ６６でＴＦＣＩとポインタフラグを送信し、ステップＳＴ６７でポインタフラグ作成動作を終了する。
【０１１８】
図２４に、本実施の形態による無線基地局装置（基地局）５００と通信端末装置（移動局）６００のＴＦＣポインタの調整の様子を示す。先ず図２４のような送受信を開始する前に、基地局は移動局にＴＦＣポインタを示すＴＦＣ番号を通知し、両局のＴＰＣポインタが一致しているものとする。基地局は、時点ｔ１の前に新たなＴＦＣポインタを決定し、前回のＴＦＣポインタと新たなＴＦＣポインタとの大小関係に基づくｕｐ／ｄｏｗｎ／ｋｅｅｐ信号を時点ｔ１に送信する。
【０１１９】
移動局はこのｕｐ／ｄｏｗｎ／ｋｅｅｐ信号を時点ｔ２で受信すると、ｕｐ／ｄｏｗｎ／ｋｅｅｐ信号に基づいてＴＦＣポインタを更新し、パワーマージン／バッファサイズ情報に基づきこのＴＦＣポインタ以下のＴＦＣを決定する。そして移動局は、時点ｔ３において、ＴＦＣＩと共にポインタフラグを送信する。
【０１２０】
基地局は、時点ｔ４において、ＴＦＣＩ情報とポインタフラグを受信する。続いて基地局はＴＦＣポインタを決定する。また基地局はポインタフラグとＴＦＣＩに基づいて移動局のＴＦＣポインタが自局のＴＦＣポインタと一致するか否か判断する。そして一致すると判断した場合には時点ｔ５でｕｐ／ｄｏｗｎ／ｋｅｅｐ信号を送信し、一致しないと判断した場合には時点ｔ５でＴＦＣポインタ情報を送信する。
【０１２１】
移動局は、時点ｔ６でｕｐ／ｄｏｗｎ／ｋｅｅｐ信号又はＴＦＣポインタ情報を受信すると、その信号に基づいて自局のＴＦＣポインタを更新する。
【０１２２】
かくして本実施の形態によれば、通信端末装置６００が自局のＴＦＣポインタと同じＴＦＣを選択したか異なるＴＦＣを選択したかを示すフラグをＴＦＣＩと共に基地局に送信し、無線基地局装置５００がこのフラグとＴＦＣＩに基づいて通信端末装置６００のＴＦＣポインタが自局のＴＦＣポインタと一致しているのかを判断し、異なる場合にのみＴＦＣポインタ信号（ＴＦＣ番号）を通信端末装置６００に送信するようにしたことにより、伝送情報量の増加を最小限に抑えながら、容易かつ確実に無線基地局装置５００と通信端末装置６００のＴＦＣポインタを一致させることができる。
【０１２３】
（他の実施の形態）
なお上述した実施の形態に加えて、無線基地局装置１００、３００、５００がＴＦＣＩを受信してからこのＴＦＣＩを基準とした次のｕｐ／ｄｏｗｎ／ｋｅｅｐ信号を送信するまでの間、通信端末装置２００、４００、６００に対してｋｅｅｐ信号を送信してもよい。このようにすれば、無線基地局装置１００、３００、５００と通信端末装置２００、４００、６００とでＴＦＣポインタの調整をしている間に通信端末装置２００、４００、６００ＴＦＣポインタが変更されることがないので、この間にＴＦＣポインタがずれることを防止できる。
【産業上の利用可能性】
【０１２４】
本発明は、無線基地局と通信端末のＴＦＣポインタを一致させることが要求される無線通信システムに適用し得る。
【図面の簡単な説明】
【０１２５】
【図１】本発明の実施の形態１に係る無線基地局装置の構成を示すブロック図
【図２】ＴＦＣポインタ制御部の構成を示すブロック図
【図３】実施の形態１の通信端末装置の構成を示すブロック図
【図４】ＴＦＣポインタ制御部の構成を示すブロック図
【図５】実施の形態１の無線基地局装置によるＴＦＣポインタ調整動作を示すフローチャート
【図６】実施の形態１の通信端末装置によるＴＦＣポインタ調整動作を示すフローチャート
【図７】実施の形態１の無線基地局装置と通信端末装置のＴＦＣポインタ調整動作を示すシーケンス図
【図８】従来の無線基地局装置と通信端末装置のＴＦＣポインタ調整動作を示すシーケンス図
【図９】実施の形態２の無線基地局装置の構成を示すブロック図
【図１０】ＴＦＣポインタ制御部の構成を示すブロック図
【図１１】実施の形態２の通信端末装置の構成を示すブロック図
【図１２】ＴＦＣポインタ制御部の構成を示すブロック図
【図１３】ＴＦＣ決定部の構成を示すブロック図
【図１４】ＴＦＣＩチェック部における具体的なチェック方法の説明に供する図
【図１５】ＴＦＣＩチェック部における具体的なチェック方法の説明に供する図
【図１６】実施の形態２の無線基地局装置によるＴＦＣポインタ調整動作を示すフローチャート
【図１７】実施の形態２の通信端末装置によるＴＦＣＩ及びパワーマージン／バッファサイズ情報の送信処理を示すフローチャート
【図１８】実施の形態２の無線基地局装置と通信端末装置のＴＦＣポインタ調整動作を示すシーケンス図
【図１９】実施の形態３の無線基地局装置の構成を示すブロック図
【図２０】ＴＦＣポインタ制御部の構成を示すブロック図
【図２１】実施の形態３の通信端末装置の構成を示すブロック図
【図２２】実施の形態３の無線基地局装置によるＴＦＣポインタ調整動作を示すフローチャート
【図２３】実施の形態３の通信端末装置によるＴＦＣポインタフラグ作成動作を示すフローチャート
【図２４】実施の形態３の無線基地局装置と通信端末装置のＴＦＣポインタ調整動作を示すシーケンス図
【図２５】ＴＦＣ Selectionの説明に供する図
【図２６】ＴＦＣＳとＴＦＣポインタの説明に供する図
【符号の説明】
【０１２６】
１００、３００、５００  無線基地局装置
１０２  ｕｐ／ｄｏｗｎ／ｋｅｅｐシグナリング生成部
１１１  ＴＦＣＩ抽出部
１１２  パワーマージン／バッファ情報抽出部
１１３  ＴＦＣポインタ制御部
１２０、３１０、５１０  ＴＦＣＩチェック部
１２１、２２１、３１１、４１１  ＴＦＣポインタ記憶部
１２２、３１２  ＴＦＣポインタ決定部
２００、４００、６００  通信端末装置
２１１  ｕｐ／ｄｏｗｎ／ｋｅｅｐシグナリング抽出部
２１２、３０２、４０２、５０２  ＴＦＣポインタ制御部
２１３、４０３  ＴＦＣ決定部
２２０、４１０  ＴＦＣポインタ更新部
３０１  ＴＦＣポインタ信号生成部
４０１  ＴＦＣポインタ抽出部
４２０  ＴＦＣ選択部
４２１  ＴＦＣ比較部
５０１  ポインタフラグ抽出部
６０１  ポインタフラグ生成部
Ｓ１、Ｓ１０  ｕｐ／ｄｏｗｎ／ｋｅｅｐ信号
Ｓ２  ＴＦＣＩ情報
Ｓ３  パワーマージン／バッファ情報
Ｓ４  ＴＦＣポインタ制御信号
Ｓ１１、Ｓ２１、Ｓ３０  ＴＦＣポインタ情報
Ｓ１２  ＴＦＣ情報
Ｓ１３  ＴＦＣＩ情報
Ｓ２０  判断結果
Ｓ２２  ＴＦＣポインタ信号
Ｓ４０、Ｓ５０  ポインタフラグ情報
【図１】
2005072900.tif 000003
【図２】
2005072900.tif 000004
【図３】
2005072900.tif 000005
【図４】
2005072900.tif 000006
【図５】
2005072900.tif 000007
【図６】
2005072900.tif 000008
【図７】
2005072900.tif 000009
【図８】
2005072900.tif 000010
【図９】
2005072900.tif 000011
【図１０】
2005072900.tif 000012
【図１１】
2005072900.tif 000013
【図１２】
2005072900.tif 000014
【図１３】
2005072900.tif 000015
【図１４】
2005072900.tif 000016
【図１５】
2005072900.tif 000017
【図１６】
2005072900.tif 000018
【図１７】
2005072900.tif 000019
【図１８】
2005072900.tif 000020
【図１９】
2005072900.tif 000021
【図２０】
2005072900.tif 000022
【図２１】
2005072900.tif 000023
【図２２】
2005072900.tif 000024
【図２３】
2005072900.tif 000025
【図２４】
2005072900.tif 000026
【図２５】
2005072900.tif 000027
【図２６】
2005072900.tif 000028